(57)【要約】【課題】保冷剤を状況に応じて選択的に、おとり鮎が傷つかないように設置できるようにすることにある。【解決手段】鮎釣り用のおとり鮎を保存するおとり鮎のオトリ缶１であって、本体１１と、保冷部材収納容器４とを備えている。本体１１はおとり鮎を収容可能な収容空間を内部に有する。保冷剤収納容器４は、本体１１の内壁に着脱自在に取り付け可能な吸盤４１を有し、内部に保冷剤５を収納可能である。【選択図】      図２
2008000103.tif 000002
【特許請求の範囲】
【請求項１】
鮎釣り用のおとり鮎を保存するおとり鮎のオトリ缶であって、
おとり鮎を収容可能な収容空間を内部に有する本体と、
前記本体の内壁に着脱自在に取り付け可能な着脱部材を有し、内部に保冷部材を収納可能な保冷部材収納容器と、
を備えたおとり鮎のオトリ缶。
【請求項２】
前記保冷部材収納容器は外周面が曲面によって構成されている、請求項１に記載のおとり鮎のオトリ缶。
【請求項３】
前記保冷部材収納容器は側壁に複数の孔を備えた、請求項１または２に記載のおとり鮎のオトリ缶。
【請求項４】
前記保冷部材収納容器は防水素材によって形成されている、請求項１から３のいずれかに記載のおとり鮎のオトリ缶。
【請求項５】
前記着脱部材は前記本体の内壁に吸着可能な吸盤である、請求項１から４のいずれかに記載のおとり鮎のオトリ缶。
【発明の詳細な説明】
【技術分野】
【０００１】
本発明は、おとり鮎のオトリ缶、特に、鮎の友釣りに使用されるおとり鮎を保存するためのおとり鮎のオトリ缶に関する。
【背景技術】
【０００２】
鮎釣りには、おとり鮎を使用した「友釣り」と言われる釣法が存在する。この「友釣り」では、体力のある状態でおとり鮎を保存するために「オトリ缶」と呼ばれる保存用箱が用いられている。
【０００３】
「友釣り」を行う際には、予め釣餌店等でおとり鮎を購入し、購入したおとり鮎を水の入ったオトリ缶に収容する。おとり鮎を収納したオトリ缶を釣り場まで運搬し、友釣りを行う。ここで、鮎は水温が上昇すると体力を消耗しやすくなる。このために、気温の高い日等のオトリ缶内の水温が上昇しやすい環境において、釣り場までオトリ缶を運搬する際にオトリ缶内の水温が上昇しないように、保冷剤、例えば氷を容器本体に入れることが考えられる。しかし、この場合にはおとり鮎が氷に衝突して傷つくおそれがある。
【０００４】
そこで、おとり鮎が傷つかないように保冷剤を収納することが可能なオトリ缶が考え出されている（特許文献１参照）。
【特許文献１】特開２００５−０４００２８号公報
【発明の開示】
【発明が解決しようとする課題】
【０００５】
特許文献１に記載のおとり鮎のオトリ缶では、容器本体と、外蓋と、中蓋とを有し、中蓋と外蓋との間に保冷剤を収納するスペースを設け、このスペースに保冷剤を設置することで水温を調整することができる。しかし、中蓋と外蓋との間に保冷剤収納スペースが存在しているために、保冷剤収納スペースに保冷剤を設置するか否かに関わらずオトリ缶内に保冷剤収納スペースが存在している。従って、保冷剤を使用しない場合には、スペースの無駄が生じている。
【０００６】
本発明の課題は、保冷剤を状況に応じて選択的に、おとり鮎が傷つかないように設置できるようにすることにある。
【課題を解決するための手段】
【０００７】
請求項１に係るおとり鮎のオトリ缶は、鮎釣り用のおとり鮎を保存するおとり鮎のオトリ缶であって、本体と、保冷部材収納容器とを備えている。本体はおとり鮎を収容可能な収容空間を内部に有する。保冷剤収納容器は、本体の内壁に着脱自在に取り付け可能な着脱部材を有し、内部に保冷部材を収納可能である。
【０００８】
このおとり鮎のオトリ缶では、オトリ缶内の水温が上昇しやすい状況（気温が高い日など）では、着脱部材を本体の内壁に装着し、保冷部材収納容器の中に保冷部材を収納する。その後、本体のおとり鮎の収納スペースに水を入れ、おとり鮎を収納する。一方、オトリ缶内の水温が上昇しにくい状況（気温が低い日等）では、保冷部材収納容器を本体内に装着しない状態でおとり鮎の収納スペースに水を入れ、オトリ鮎を収納する。
【０００９】
ここでは、保冷部材収納容器が状況に応じて着脱可能であるために、保冷剤を設置しない場合にはおとり鮎を収納するスペースの無駄を減少することができる。また、本体の壁面に保冷部材収納容器を装着しているために、保冷部材収納容器が移動し、おとり鮎と衝突しておとり鮎の体力を減少させるのを防止できる。
【００１０】
請求項２に係るおとり鮎のオトリ缶は、請求項１に記載のおとり鮎のオトリ缶であって、保冷部材収納容器は外周面が曲面によって構成されている。
【００１１】
ここでは、保冷部材収納容器の外周面が曲面によって構成されているために、保冷部材収納容器の外周面に角が形成されていない。このため、鮎が保冷部材収納容器に衝突した場合であっても鮎の体力が減少しにくくなる。
【００１２】
請求項３に係るおとり鮎のオトリ缶は、請求項１または２に記載のおとり鮎のオトリ缶であって、保冷部材収納容器は側壁に複数の孔を備えている。
【００１３】
ここでは、側壁に複数の孔を備えているために水が直接保冷部材に接触することができるために水の温度を下げやすくなる。
【００１４】
請求項４に係るおとり鮎のオトリ缶は、請求項１から３のいずれかに記載のおとり鮎のオトリ缶であって、保冷部材収納容器は防水素材によって形成されている。
【００１５】
ここでは、保冷部材収納容器が防水素材によって形成されているために、保冷部材収納容器が水を吸収するのを防止できる。
【００１６】
請求項５に係るおとり鮎のオトリ缶は、請求項１から４のいずれかに記載のおとり鮎のオトリ缶であって、着脱部材は本体の内壁に吸着可能な吸盤である。
【００１７】
ここでは、吸盤によって保冷部材収納容器を本体に取り付けることができるために、取り付ける場所を自由に選択することができる。また、取り付けるための特別な構成を本体に設ける必要がなくなる。
【発明の効果】
【００１８】
本発明では、保冷剤を状況に応じて選択的にかつおとり鮎が傷つかないように設置できるようにすることができる。
【発明を実施するための最良の形態】
【００１９】
１．構成
図１に本発明の一実施形態に係るおとり鮎のオトリ缶１の外観図を示す。また、図２にオトリ缶１の蓋２の外蓋２１を取り外して中蓋２２を開いた図を示す。このオトリ缶１は、鮎の友釣りに用いられるおとり鮎を保存するためのものであって、本体１１と、保冷部材収納容器４（図４参照）と、保冷剤５（図５参照）を有している。
【００２０】
本体１１は、蓋２と、おとり鮎収納部３とを備えている。
【００２１】
蓋２は、おとり鮎収納部３からおとり鮎及び水が外部に出ないようにするためのものであって、外蓋２１と、中蓋２２とを有している。また、蓋２はおとり鮎収納部３の上側に配置された部材である。
【００２２】
外蓋２１は、略長方形状の板状部分２１１と板状部分２１１の全周端部から下方に延びる外蓋側壁２１２とを有している。外蓋側壁２１２の長手方向両端の側面にはそれぞれ半円状の金具２１３が取り付けられており、この２つの金具２１３にはそれぞれ運搬用の肩掛けベルト２１４の端部が固定されている。この肩掛けベルト２１３は長さを調整することができるようになっている。
【００２３】
中蓋２２は、外蓋２１の内側に配置される部材であって、第１蓋部２２３と、第２蓋部２２４とを有している。第１蓋部２２３と第２蓋部２２４の間にはヒンジが取り付けられており、第１蓋部２２３はヒンジを中心として回転して開くことができる。このために、ヒンジを中心に回転して開くことで、中蓋２２を取り外すことなく、おとり鮎や水をおとり鮎収納部３内部に入れることができる。また、中蓋２２にはおとり鮎を内部に入れるための収納窓２２１が設けられている。この収納窓２２１は、おとり鮎が通過するのに充分な大きさであり、収納窓用蓋が設けられている。そのために、収納窓用蓋を開くことで第１蓋部２２３を開かずにおとり鮎をおとり鮎収納部３に収納することができる。さらに、中蓋２２の第２蓋部２２４には長手方向に複数のスリット２２２が設けられている。ここで、複数のスリット２２２は、流水は入りやすくなっているが光は入りにくくなっている。
【００２４】
おとり鮎収納部３は、おとり鮎を収納するための部分であって、外蓋２１と同じ略長方形状の底部３１と、底部３１の全周から上側に延びる側壁３２とを備えている。また、おとり鮎収納部３には、内部に２０リットルの水を収納することができる。
【００２５】
底部３１は、略長方形状であって、４隅が半径の大きな円弧状になっている。側壁３２は、底部３１の外周に沿って配置されており、底面３１から上側に延びている。また、底面３１及び側壁３２は凹凸のない平坦な面で形成されており、おとり鮎が傷つきにくくなっている。さらに、底部３１及び側壁３２は黒色の部材によって形成されている。このために、内部に収納されるおとり鮎が落ち着きやすい環境になっている。
【００２６】
保冷部材収納容器４は、図３及び図５に示すように、１対の吸盤４１と、保冷部材収納ケース４２とを有している。また、保冷剤収納容器４は、例えば図４に示すようにおとり鮎収納部３内部の隅に配置されている。
【００２７】
１対の吸盤４１は、保冷部材収納ケース４２の外周側に上下に並んで配置された部分であって、おとり鮎収納部３の内壁に吸着可能な部分である。
【００２８】
保冷部材収納ケース４２は、保冷剤５を収納する部分であって、ケース底面（図示せず）と、ケース側面４２１とを有している。ケース底面は円形の板状の部分である。また、保冷部材収納ケース４２は防水素材、例えばＥＶＡ等の柔軟性を有する樹脂材料によって形成されている。ケース側面４２１はケース底面の外周から鉛直方向に延びる円筒状の部分である。このケース側面４２１には、３つの小さな孔４２３が鉛直方向に並んで設けられており、この孔４２３から水が保冷部材収納ケース４２内に出入り可能になっている。
【００２９】
保冷剤５は、図５に示すように、オトリ缶１内の水温を低下させるための部材であって、ボトル５１内に氷部材を収納したものである。なお、このボトル５１は市販されている飲料用のＰＥＴボトルを利用可能であって、このボトル５１内部に水を入れ、内部の水を凍らせて形成したものである。
【００３０】
２．動作・効果
おとり鮎を収納する際には、オトリ缶１の外蓋２１及び中蓋２２を開け、おとり鮎収納部３内に例えば１０リットルの水を入れる。そして、おとり鮎をおとり鮎収納部３に収納する。このとき、例えば気温が高い日などのおとり鮎収納部３内の水温が上昇しやすい環境の場合には、水及びおとり鮎をおとり鮎収納部３内部に収納する前に保冷剤５を保冷部材収納ケース４２に収納し、おとり鮎収納部３の壁面に吸盤４１を吸着させる。その後、水及びおとり鮎を収納する。この状態では、おとり鮎収納部３内の水が保冷部材収納ケース４２の孔４２３を通って保冷剤５に接触する。保冷剤５によって水温が下られた水が保冷部材収納ケース４２内を循環することでオトリ缶１内部の水温が低い状態で維持できる。一方、おとり鮎収納部３内の水温が上昇しやすい環境ではない場合には、保冷部材収納容器４を取り付けない。そして、中蓋２２及び外蓋２１を閉め、オトリ缶１を釣り場まで運搬する。
【００３１】
ここで、保冷部材収納容器４が着脱自在であるために、必要な場合にのみ保冷部材収納容器４を取り付けることができる。このために、保冷部材収納容器４を取り付けない場合には、スペースの無駄を防止できる。このため、鮎の収納スペースをより多く確保することができる。また、例えばおとり鮎収納部３の側壁の上側にフックを引っかけて、保冷部材収納容器４を取り付ける場合には蓋２を閉める際の妨げになるが、保冷部材収納容器４の着脱が吸盤４１によって行われるために、蓋２を閉める際の妨げになることがない。さらに、保冷部材収納容器４が吸盤４１によって取り付けられているために、おとり鮎収納部３の壁面３２に保冷部材収納容器４の取り付け構造を設ける必要が無く、凹凸のない平坦な形状にすることができ、おとり鮎を傷つけにくくなる。おとり鮎収納部３の壁面３２の所望の位置に配置することができる。例えば図６、７に示すように、４隅以外の場所に取り付けることや横向きに取り付けることもできる。さらに、保冷部材収納容器４のケース側面４２１が円筒状であるために保冷部材収納容器４のケース側面４２１の外周側に角がなく、たとえ保冷部材収納ケース４２に鮎が衝突しても体力を減少させにくくなる。
【００３２】
３．他の実施形態
上記実施形態では、保冷剤５として飲料水用のＰＥＴボトルの内部に水を入れ、凍らせたものを用いたが、本発明はこれに限られずに、保冷部材収納ケース４２に直接氷を入れても良い。また、保冷部材収納容器４は、ＥＶＡ以外の柔軟な素材によって形成しても良い。さらに、おとり鮎を傷つけにくくする観点から柔軟な素材が望ましいが、剛性のある素材であっても良い。
【図面の簡単な説明】
【００３３】
【図１】本発明の一実施形態に係るオトリ缶１の外観図。
【図２】保冷部材収納容器４を設置していない状態のオトリ缶１の蓋２を開いた図。
【図３】保冷剤５を収納していない状態の保冷部材収納容器４を示した図。
【図４】保冷部材収納容器４を設置した状態のオトリ缶１の蓋２を開いた図。
【図５】保冷剤５を収納した状態の保冷部材収納容器４を示した図。
【図６】保冷部材収納容器４の取り付け例を示す図。
【図７】保冷部材収納容器４の取り付け例を示す図。
【符号の説明】
【００３４】
１  オトリ缶
２  蓋
３  おとり鮎収納部
４  保冷部材収納容器
５  保冷剤
１１  本体
４１  吸盤（着脱部材）
４２３  孔
【図１】
2008000103.tif 000003
【図２】
2008000103.tif 000004
【図３】
2008000103.tif 000005
【図４】
2008000103.tif 000006
【図５】
2008000103.tif 000007
【図６】
2008000103.tif 000008
【図７】
2008000103.tif 000009